(57)【特許請求の範囲】
【請求項１】
ジョブに基づく画像を用紙に形成する画像形成部と、
前記画像形成部により画像が形成された用紙に所定の後処理を行う後処理部と、
セキュリティジョブのジョブ情報及び当該セキュリティジョブのオーナーであるユーザーを識別するためのユーザー識別情報を取得する取得部と、
前記取得部により取得されたセキュリティジョブのジョブ情報のジョブ種を参照し、当該セキュリティジョブに前記後処理部により行われる後処理が設定されている場合に、当該設定されている後処理に基づいて起動開始距離を設定する設定部と、
検知可能領域内に存在するユーザー及び当該ユーザーの位置を検知する検知部と、
前記取得部により取得されたユーザー識別情報に基づいて、前記検知部により検知されたユーザーが前記セキュリティジョブのオーナーであるか否かを判定する第１判定部と、
前記第１判定部によりセキュリティジョブのオーナーであると判定された場合に、前記検知部により検知されたユーザーの位置に基づいて、当該セキュリティジョブのオーナーが前記設定部により設定された起動開始距離に到達したか否かを判定する第２判定部と、
前記第２判定部により起動開始距離に到達したと判定された場合に、前記セキュリティジョブを実行し、前記画像形成部により当該セキュリティジョブに基づく画像を用紙に形成させる処理を開始する起動開始部と、
を備え、
前記設定部は、前記取得部によりオーナーが同一である複数のセキュリティジョブのジョブ情報が取得された場合に、当該取得された複数のセキュリティジョブのジョブ情報のジョブ種の組み合わせに基づいて起動開始距離を設定し、
前記複数のセキュリティジョブのジョブ情報のジョブ種を参照し、当該複数のセキュリティジョブに共通する後処理が設定されている場合であって、当該共通する後処理が同時に処理不可能である場合に、セキュリティジョブ毎に各々のジョブ種に基づいて個別起動開始距離を算出し、当該算出された全ての起動開始距離を合算して個別起動開始距離を設定することを特徴とする画像形成装置。
【請求項２】
前記設定部は、前記複数のセキュリティジョブのジョブ情報のジョブ種を参照し、当該複数のセキュリティジョブに共通する後処理が設定されている場合であって、当該共通する後処理が同時に処理可能である場合に、セキュリティジョブ毎に各々のジョブ種に基づいて起動開始距離を算出し、当該算出された全ての起動開始距離を合算する際に、前記同時に処理可能な共通する後処理を一つの処理と見做して合算し、起動開始距離を設定することを特徴とする請求項１に記載の画像形成装置。
【請求項３】
ジョブに基づく画像を用紙に形成する画像形成部と、
前記画像形成部により画像が形成された用紙に所定の後処理を行う後処理部と、
セキュリティジョブのジョブ情報及び当該セキュリティジョブのオーナーであるユーザーを識別するためのユーザー識別情報を取得する取得部と、
前記取得部により取得されたセキュリティジョブのジョブ情報のジョブ種を参照し、当該セキュリティジョブに前記後処理部により行われる後処理が設定されている場合に、当該設定されている後処理に基づいて起動開始距離を設定する設定部と、
検知可能領域内に存在するユーザー及び当該ユーザーの位置を検知する検知部と、
前記取得部により取得されたユーザー識別情報に基づいて、前記検知部により検知されたユーザーが前記セキュリティジョブのオーナーであるか否かを判定する第１判定部と、
前記第１判定部によりセキュリティジョブのオーナーであると判定された場合に、前記検知部により検知されたユーザーの位置に基づいて、当該セキュリティジョブのオーナーが前記設定部により設定された起動開始距離に到達したか否かを判定する第２判定部と、
前記第２判定部により起動開始距離に到達したと判定された場合に、前記セキュリティジョブを実行し、前記画像形成部により当該セキュリティジョブに基づく画像を用紙に形成させる処理を開始する起動開始部と、
を備え、
前記設定部は、前記取得部によりオーナーが同一である複数のセキュリティジョブのジョブ情報が取得された場合に、当該取得された複数のセキュリティジョブのジョブ情報のジョブ種の組み合わせに基づいて起動開始距離を設定し、
前記複数のセキュリティジョブのジョブ情報のジョブ種を参照し、当該複数のセキュリティジョブに共通する後処理が設定されている場合であって、当該共通する後処理が同時に処理可能である場合に、セキュリティジョブ毎に各々のジョブ種に基づいて起動開始距離を算出し、当該算出された全ての起動開始距離を合算する際に、前記同時に処理可能な共通する後処理を一つの処理と見做して合算し、起動開始距離を設定することを特徴とする画像形成装置。
【請求項４】
前記設定部は、前記セキュリティジョブのジョブ情報のジョブ種に加え、当該セキュリティジョブに設定された用紙の枚数に基づいて起動開始距離を設定することを特徴とする請求項１〜３のいずれか一項に記載の画像形成装置。
【請求項５】
前記設定部は、前記セキュリティジョブのジョブ情報のジョブ種に加え、当該セキュリティジョブに設定された画像種に基づいて起動開始距離を設定することを特徴とする請求項１〜４のいずれか一項に記載の画像形成装置。
【請求項６】
前記設定部は、前記セキュリティジョブのジョブ情報のジョブ種を参照し、当該セキュリティジョブに前記後処理部により行われる後処理が設定されていない場合に、１枚目の用紙が排紙される時間に基づいて起動開始距離を設定することを特徴とする請求項１〜５のいずれか一項に記載の画像形成装置。
【発明の詳細な説明】
【技術分野】
【０００１】
本発明は、画像形成装置に関する。
【背景技術】
【０００２】
従来、ネットワークによりＰＣ等の情報処理装置に接続された画像形成装置では、一般に、ユーザーが情報処理装置を操作してプリントジョブ（画像形成用の画像データ及び画像形成指示を含む）を送信すると、プリントジョブの受信完了に伴い画像形成処理を開始し、画像が形成された用紙を排紙トレイに排紙する処理が行われる。
【０００３】
上記の画像形成装置では、ユーザーが意図するタイミングで用紙が排紙されるわけではないため、ユーザーが画像形成装置まで移動する間に、排紙後の印刷物を他人に見られたり、間違えて持って行かれたりする虞がある。そこで、排紙後の印刷物を他人に見られたり、間違えて持って行かれたりすることを防止すべく、ユーザーが画像形成装置の前で所定の認証動作を行うまで、受信したプリントジョブを保持して画像形成処理を開始せず、認証後に画像形成処理を開始するセキュリティプリント機能を搭載した画像形成装置が使用されている。
【０００４】
しかしながら、上記のセキュリティプリント機能を利用した場合、ユーザーが画像形成装置の前で認証動作を行う必要があり、且つ認証後から排紙が完了するまでの時間を待たなければならないという課題がある。
そこで、上記の課題を解決すべく、ユーザーとの距離を、ユーザーが所持する端末装置が送信する電波の電波強度データを距離データに変換する距離変換テーブルを用いることにより計測し、接近と判断した場合に装置を起動し、画像形成処理を開始する技術が開示されている（例えば、特許文献１参照）。
また、人の平均的な歩行速度と装置のウォーミングアップに掛かる時間とから、ユーザーが接近した場合に装置の起動を開始する距離を決定する技術が開示されている（例えば、特許文献２参照）。
【先行技術文献】
【特許文献】
【０００５】
【特許文献１】特開２０１１−４１１３２号公報
【特許文献２】特開２０１０−１３５９９３号公報
【発明の概要】
【発明が解決しようとする課題】
【０００６】
しかしながら、上記特許文献１記載の技術では、接近と判断するための閾値となる距離を一定にしか設定することができないため、例えば、後処理加工の実行等により排紙タイミングが通常よりも遅くなるような場合に、ユーザーが画像形成装置の前で待機する時間を軽減することができないという問題がある。
同様に、上記特許文献２記載の技術では、ユーザーが接近した場合に装置の起動を開始する距離を一定にしか設定することができないため、排紙タイミングが通常よりも遅くなるような場合に、ユーザーが画像形成装置の前で待機する時間を軽減することができないという問題がある。
【０００７】
本発明は、排紙後の印刷物のセキュリティ性を確保しつつ、排紙時のユーザーの待機時間を軽減することが可能な画像形成装置を提供することを目的とする。
【課題を解決するための手段】
【０００８】
請求項１に記載の発明は、上記目的を達成するためになされたものであり、
画像形成装置において、
ジョブに基づく画像を用紙に形成する画像形成部と、
前記画像形成部により画像が形成された用紙に所定の後処理を行う後処理部と、
セキュリティジョブのジョブ情報及び当該セキュリティジョブのオーナーであるユーザーを識別するためのユーザー識別情報を取得する取得部と、
前記取得部により取得されたセキュリティジョブのジョブ情報のジョブ種を参照し、当該セキュリティジョブに前記後処理部により行われる後処理が設定されている場合に、当該設定されている後処理に基づいて起動開始距離を設定する設定部と、
検知可能領域内に存在するユーザー及び当該ユーザーの位置を検知する検知部と、
前記取得部により取得されたユーザー識別情報に基づいて、前記検知部により検知されたユーザーが前記セキュリティジョブのオーナーであるか否かを判定する第１判定部と、
前記第１判定部によりセキュリティジョブのオーナーであると判定された場合に、前記検知部により検知されたユーザーの位置に基づいて、当該セキュリティジョブのオーナーが前記設定部により設定された起動開始距離に到達したか否かを判定する第２判定部と、
前記第２判定部により起動開始距離に到達したと判定された場合に、前記セキュリティジョブを実行し、前記画像形成部により当該セキュリティジョブに基づく画像を用紙に形成させる処理を開始する起動開始部と、
を備え、
前記設定部は、前記取得部によりオーナーが同一である複数のセキュリティジョブのジョブ情報が取得された場合に、当該取得された複数のセキュリティジョブのジョブ情報のジョブ種の組み合わせに基づいて起動開始距離を設定し、
前記複数のセキュリティジョブのジョブ情報のジョブ種を参照し、当該複数のセキュリティジョブに共通する後処理が設定されている場合であって、当該共通する後処理が同時に処理不可能である場合に、セキュリティジョブ毎に各々のジョブ種に基づいて個別起動開始距離を算出し、当該算出された全ての起動開始距離を合算して個別起動開始距離を設定することを特徴とする。
【００１１】
請求項２に記載の発明は、請求項１に記載の画像形成装置において、
前記設定部は、前記複数のセキュリティジョブのジョブ情報のジョブ種を参照し、当該複数のセキュリティジョブに共通する後処理が設定されている場合であって、当該共通する後処理が同時に処理可能である場合に、セキュリティジョブ毎に各々のジョブ種に基づいて起動開始距離を算出し、当該算出された全ての起動開始距離を合算する際に、前記同時に処理可能な共通する後処理を一つの処理と見做して合算し、起動開始距離を設定することを特徴とする。
請求項３に記載の発明は、
画像形成装置において、
ジョブに基づく画像を用紙に形成する画像形成部と、
前記画像形成部により画像が形成された用紙に所定の後処理を行う後処理部と、
セキュリティジョブのジョブ情報及び当該セキュリティジョブのオーナーであるユーザーを識別するためのユーザー識別情報を取得する取得部と、
前記取得部により取得されたセキュリティジョブのジョブ情報のジョブ種を参照し、当該セキュリティジョブに前記後処理部により行われる後処理が設定されている場合に、当該設定されている後処理に基づいて起動開始距離を設定する設定部と、
検知可能領域内に存在するユーザー及び当該ユーザーの位置を検知する検知部と、
前記取得部により取得されたユーザー識別情報に基づいて、前記検知部により検知されたユーザーが前記セキュリティジョブのオーナーであるか否かを判定する第１判定部と、
前記第１判定部によりセキュリティジョブのオーナーであると判定された場合に、前記検知部により検知されたユーザーの位置に基づいて、当該セキュリティジョブのオーナーが前記設定部により設定された起動開始距離に到達したか否かを判定する第２判定部と、
前記第２判定部により起動開始距離に到達したと判定された場合に、前記セキュリティジョブを実行し、前記画像形成部により当該セキュリティジョブに基づく画像を用紙に形成させる処理を開始する起動開始部と、
を備え、
前記設定部は、前記取得部によりオーナーが同一である複数のセキュリティジョブのジョブ情報が取得された場合に、当該取得された複数のセキュリティジョブのジョブ情報のジョブ種の組み合わせに基づいて起動開始距離を設定し、
前記複数のセキュリティジョブのジョブ情報のジョブ種を参照し、当該複数のセキュリティジョブに共通する後処理が設定されている場合であって、当該共通する後処理が同時に処理可能である場合に、セキュリティジョブ毎に各々のジョブ種に基づいて起動開始距離を算出し、当該算出された全ての起動開始距離を合算する際に、前記同時に処理可能な共通する後処理を一つの処理と見做して合算し、起動開始距離を設定することを特徴とする。
【００１２】
請求項４に記載の発明は、請求項１〜３のいずれか一項に記載の画像形成装置において、
前記設定部は、前記セキュリティジョブのジョブ情報のジョブ種に加え、当該セキュリティジョブに設定された用紙の枚数に基づいて起動開始距離を設定することを特徴とする。
【００１３】
請求項５に記載の発明は、請求項１〜４のいずれか一項に記載の画像形成装置において、
前記設定部は、前記セキュリティジョブのジョブ情報のジョブ種に加え、当該セキュリティジョブに設定された画像種に基づいて起動開始距離を設定することを特徴とする。
【００１４】
請求項６に記載の発明は、請求項１〜５のいずれか一項に記載の画像形成装置において、
前記設定部は、前記セキュリティジョブのジョブ情報のジョブ種を参照し、当該セキュリティジョブに前記後処理部により行われる後処理が設定されていない場合に、１枚目の用紙が排紙される時間に基づいて起動開始距離を設定することを特徴とする。
【発明の効果】
【００１５】
本発明によれば、排紙後の印刷物のセキュリティ性を確保しつつ、排紙時のユーザーの待機時間を軽減することができる。
【図面の簡単な説明】
【００１６】
【図１】本実施形態に係る画像形成システムを構成する各装置の主制御構成を示すブロック図である。
【図２】本実施形態に係る画像形成装置の概略構成を示す図である。
【図３】ジョブ種距離変換テーブルの一例を示す図である。
【図４】本実施形態に係る画像形成システムの動作を示すフローチャートである。
【図５】本実施形態の起動開始距離設定処理を示すフローチャートである。
【図６】セキュリティジョブとそれぞれのジョブ種との関係を示すテーブルの一例を示す図である。
【図７】セキュリティジョブとそれぞれのジョブ種との関係を示すテーブルの一例を示す図である。
【図８】変形例３の起動開始距離設定処理を示すフローチャートである。
【図９】ジョブ枚数距離変換テーブルの一例を示す図である。
【図１０】変形例４の起動開始距離設定処理を示すフローチャートである。
【図１１】画像種距離変換テーブルの一例を示す図である。
【発明を実施するための形態】
【００１７】
以下、本発明の実施の形態について、図面を参照して詳細に説明する。
【００１８】
本実施形態に係る画像形成システム１は、図１に示すように、ユーザーにより使用されるＰＣ等の外部装置（図示省略）と通信する画像形成装置１０と、外部装置のユーザーにより所持され、ユーザーを識別するための識別情報を電波により画像形成装置１０に無線送信する端末装置２０と、を備えて構成されている。
【００１９】
画像形成装置１０は、図１及び図２に示すように、画像形成装置本体１００と、画像形成装置本体１００と直列に接続された４台の後処理装置（後処理部）、具体的には、紙折り装置ＦＮ１、断裁装置ＦＮ２、ステープル装置ＦＮ３及び製本装置ＦＮ４と、を備えて構成されている。
【００２０】
画像形成装置本体１００は、原稿から画像を読み取って得られた画像データ又は外部装置から受信した画像データに基づいて、電子写真方式によりカラー画像を形成する画像形成装置である。
画像形成装置本体１００は、図１及び図２に示すように、制御部１１０と、操作パネル１２０と、原稿読取ユニット１３０と、画像形成部１４０と、定着部１５０と、用紙搬送部１６０と、記憶部１７０と、通信部１８０と、を備えて構成され、各部はバスを介して接続されている。
【００２１】
制御部１１０は、ＣＰＵ、ＲＯＭ、ＲＡＭ等により構成される。制御部１１０のＣＰＵは、ＲＯＭに記憶されているシステムプログラムや各種処理プログラムを読み出してＲＡＭに展開し、展開されたプログラムに従って、画像形成装置本体１００各部の動作を集中制御する。
また、制御部１１０は、画像形成装置１０が所定時間利用されなかった場合に、所定の装置を除いて電力供給を遮断する節電モードに切り替える。そして、制御部１１０は、節電モード中に、セキュリティジョブのオーナーが起動開始距離に到達したと判定した場合に、電力供給を再開して画像形成装置１０を起動する。ここで、セキュリティジョブとは、セキュリティプリント機能の利用を設定されたジョブのことである。また、セキュリティジョブのオーナーとは、セキュリティジョブを発行したユーザーのことである。また、起動開始距離とは、画像形成装置１０の起動を開始する距離のことである。
【００２２】
操作パネル１２０は、表示部１２１及び操作部１２２により構成される。
表示部１２１は、ＬＣＤ（Liquid Crystal Display）等により構成され、制御部１１０から入力される表示信号の指示に従って表示画面上に各種操作ボタンや装置の状態表示、各機能の動作状況等の表示を行う。
操作部１２２は、テンキー、スタートキー等の各種キーを備え、ユーザーによるキー操作を受け付けて、その操作信号を制御部１１０に出力する。また、操作部１２２は、表示部１２１のＬＣＤの上面を覆うように透明電極を格子状に配置した感圧式（抵抗膜圧式）のタッチパネルを有し、手指やタッチペン等で押下された力点のＸＹ座標を電圧値で検出し、検出された位置信号を操作信号として制御部１１０に出力する。なお、タッチパネルは、感圧式に限らず、他の静電式、光式等であってもよい。
【００２３】
原稿読取ユニット１３０は、光源、ＣＣＤ（Charge Coupled Device）イメージセンサー、Ａ／Ｄ変換器等により構成され、光源から原稿へ照明走査した光の反射光を結像して光電変換することにより原稿の画像を読み取り、読み取った画像をＡ／Ｄ変換し、得られた画像データを画像形成部１４０に出力する。
【００２４】
画像形成部１４０は、外部装置から送信されたプリントジョブや原稿読取ユニット１３０から入力された画像データに基づいて、給紙トレイＴ１１〜Ｔ１３から供給された記録用紙などの記録媒体に画像形成を行う。画像形成部１４０による画像形成の方式としては、電子写真方式、インクジェット方式、熱転写方式など、任意の周知の方法を採用することができる。
【００２５】
定着部１５０は、画像形成部１４０によりトナー像が転写された用紙を加熱する加熱ローラー及び当該用紙を加圧する加圧ローラーを備え、加熱及び加圧によりトナー像を用紙に定着させる。
【００２６】
用紙搬送部１６０は、用紙を搬送するための搬送ローラーを制御して、給紙トレイＴ１１〜Ｔ１３に収納された用紙を画像形成部１４０及び定着部１５０に給紙し、画像形成及び定着後の用紙を後処理装置２００に排出する。
【００２７】
記憶部１７０は、不揮発性の半導体メモリーやＨＤＤ（Hard Disc Drive）等により構成され、画像形成装置本体１００で実行可能なシステムプログラム、当該システムプログラムで実行可能な各種処理プログラム、これら各種処理プログラムを実行する際に使用されるデータ、制御部１１０によって演算処理された処理結果のデータ等を記憶する。
また、記憶部１７０は、ジョブに基づいて後処理装置で実行される後処理の種類（ジョブ種）と画像形成装置１０の起動を開始する距離（起動開始距離）との関係を対応付けて管理するためのジョブ種距離変換テーブルＡ１と、ユーザーが所持する端末装置２０が送信する電波の電波強度と画像形成装置１０からの距離との関係を対応付けて管理するための距離変換テーブル（図示省略）と、を記憶する。
【００２８】
ジョブ種距離変換テーブルＡ１は、図３に示すように、後処理装置を識別可能に管理するための番号である管理番号Ａ１１、ジョブに基づいて後処理装置で実行される後処理の種類を示すジョブ種Ａ１２、画像形成装置１０の起動を開始する距離を示す起動開始距離Ａ１３のフィールドを有する。
例えば、ジョブ種距離変換テーブルＡ１の一番上のレコードには、管理番号Ａ１１「ＦＮ１」に該当する後処理装置が、ジョブ種Ａ１２「紙折り」処理を実行し、起動開始距離Ａ１３が「２ｍ」である旨が示されている。また、二番目のレコードには、管理番号Ａ１２「ＦＮ２」に該当する後処理装置が、ジョブ種Ａ１２「断裁」処理を実行し、起動開始距離Ａ１３が「１ｍ」である旨が示されている。また、三番目のレコードには、管理番号Ａ１２「ＦＮ３」に該当する後処理装置が、ジョブ種Ａ１２「ステープル」処理を実行し、起動開始距離Ａ１３が「０．５ｍ」である旨が示されている。また、四番目のレコードには、管理番号Ａ１２「ＦＮ４」に該当する後処理装置が、ジョブ種Ａ１２「製本」処理を実行し、起動開始距離Ａ１３が「３ｍ」である旨が示されている。
【００２９】
通信部１８０は、モデム、ＬＡＮアダプターやルーター等によって構成され、ＬＡＮ（Local Area Network）、ＷＡＮ（Wide Area Network）等の通信ネットワークに接続されたＰＣ等の外部装置や後処理装置の通信部（図示省略）との通信制御を行い、画像データやステータス情報等の受信等を行う。また、通信部１８０は、ユーザーが所持する端末装置２０との通信制御を行い、端末装置２０から無線送信されたユーザーの識別情報等の受信等を行う。
【００３０】
紙折り装置ＦＮ１は、画像形成装置本体１００から搬送される用紙に対し、必要に応じて紙折り処理を行い、次の断裁装置ＦＮ２に排出する。具体的には、紙折り装置ＦＮ１は、セキュリティジョブに紙折り処理の実行が設定されている場合、紙折り処理を行った後、断裁装置ＦＮ２に排出する。一方、紙折り装置ＦＮ１は、セキュリティジョブに紙折り処理の実行が設定されていない場合、紙折り処理を行わず、そのまま断裁装置ＦＮ２に排出する。
【００３１】
断裁装置ＦＮ２は、紙折り装置ＦＮ１から搬送される用紙に対し、必要に応じて断裁処理を行い、次のステープル装置ＦＮ３に排出する。具体的には、断裁装置ＦＮ２は、セキュリティジョブに断裁処理の実行が設定されている場合、断裁処理を行った後、ステープル装置ＦＮ３に排出する。一方、断裁装置ＦＮ２は、セキュリティジョブに断裁処理の実行が設定されていない場合、断裁処理を行わず、そのままステープル装置ＦＮ３に排出する。
【００３２】
ステープル装置ＦＮ３は、断裁装置ＦＮ２から搬送される用紙に対し、必要に応じてステープル処理を行い、次の製本装置ＦＮ４に排出する。具体的には、ステープル装置ＦＮ３は、セキュリティジョブにステープル処理の実行が設定されている場合、ステープル処理を行った後、製本装置ＦＮ４に排出する。一方、ステープル装置ＦＮ３は、セキュリティジョブにステープル処理の実行が設定されていない場合、ステープル処理を行わず、そのまま製本装置ＦＮ４に排出する。
【００３３】
製本装置ＦＮ４は、ステープル装置ＦＮ３から搬送される用紙に対し、必要に応じて製本処理を行い、排紙トレイＴ２１に排紙する。具体的には、製本装置ＦＮ４は、セキュリティジョブに製本処理の実行が設定されている場合、製本処理を行った後、排紙トレイＴ２１に排紙する。一方、製本装置ＦＮ４は、セキュリティジョブに製本処理の実行が設定されていない場合、製本処理を行わず、そのまま排紙トレイＴ２１に排紙する。
【００３４】
端末装置２０は、スマートフォンやタブレットなどのスマートデバイス、携帯電話機等の各ユーザーが所持して使用する携帯型端末機器である。端末装置２０は、Ｂｌｕｅｔｏｏｔｈ（登録商標）、ＷｉＦｉ（Wireless Fidelity）等を用いた近距離無線通信の通信接続により、画像形成装置本体１００の通信部１８０との間で相互に通信を行う。例えば、端末装置２０は、ユーザーを識別するためのユーザー識別情報（ユーザーＩＤ）等を、通信部１８０に無線送信する。
【００３５】
次に、本実施形態に係る画像形成システム１（画像形成装置本体１００）の動作について、図４及び図５のフローチャートを参照して説明する。ここでは、あるユーザーにより、ＰＣ等の外部装置を介して１つのセキュリティジョブが画像形成装置本体１００に送信された場合を例示して説明する。なお、この動作は、節電モード中であっても行われる。
【００３６】
まず、制御部１１０は、セキュリティジョブのジョブ情報及び当該セキュリティジョブのオーナーのオーナーＩＤ（ユーザーＩＤ）を取得する（ステップＳ１０１）。即ち、制御部１１０は、本発明の取得部として機能する。なお、セキュリティジョブのジョブ情報には、当該セキュリティジョブのジョブ種を示す情報、セキュリティジョブに設定された用紙の枚数（ジョブ枚数）を示す情報、セキュリティジョブに設定された画像の種類（画像種）を示す情報などが含まれている。
【００３７】
次に、制御部１１０は、ステップＳ１０１で取得されたセキュリティジョブのジョブ種とジョブ種距離変換テーブルＡ１（図３参照）とを参照して、画像形成装置１０（画像形成装置本体１００及び後処理装置ＦＮ１〜ＦＮ４）の起動開始距離を設定する処理（起動開始距離設定処理）を行う（ステップＳ１０２）。即ち、制御部１１０は、本発明の設定部として機能する。
【００３８】
具体的には、制御部１１０は、図５に示すように、図４のステップＳ１０１で取得されたセキュリティジョブに後処理加工が設定されているか否かを判定する（ステップＳ２０１）。具体的には、制御部１１０は、図４のステップＳ１０１で取得されたセキュリティジョブのジョブ種を参照し、当該セキュリティジョブに紙折り処理、断裁処理、ステープル処理及び製本処理の少なくとも１つが設定されている場合に、後処理加工が設定されていると判定する。
制御部１１０は、後処理加工が設定されていると判定した場合（ステップＳ２０１：ＹＥＳ）、次のステップＳ２０２へと移行する。
一方、制御部１１０は、後処理加工が設定されていないと判定した場合（ステップＳ２０１：ＮＯ）、１枚目の用紙（ファーストプリント）が排紙される時間に基づいて起動開始距離を決定し（ステップＳ２０４）、図４のステップＳ１０３へと移行する。
【００３９】
次に、制御部１１０は、ステップＳ１０１で取得されたセキュリティジョブのジョブ種とジョブ種距離変換テーブルＡ１（図３参照）とを参照して（ステップＳ２０２）起動開始距離を決定し（ステップＳ２０３）、図４のステップＳ１０３へと移行する。例えば、制御部１１０は、ステップＳ１０１で取得されたセキュリティジョブのジョブ種が「紙折り」であった場合、起動開始距離を「２ｍ」に決定する。また、制御部１１０は、ステップＳ１０１で取得されたセキュリティジョブのジョブ種が「断裁」であった場合、起動開始距離を「１ｍ」に決定する。
制御部１１０は、以上の起動開始距離設定処理により決定された起動開始距離を、セキュリティジョブの管理番号及び当該セキュリティジョブのオーナーＩＤと対応付けてテーブル形式で記憶部１７０に記憶させる。
【００４０】
なお、制御部１１０は、ステップＳ１０１で取得されたセキュリティジョブに２つ以上のジョブ種が設定されている場合、ジョブ種毎に設定された起動開始距離を全て加算することにより起動開始距離を決定する。例えば、制御部１１０は、ステップＳ１０１で取得されたセキュリティジョブのジョブ種が「紙折り」及び「断裁」であった場合、起動開始距離を「２ｍ＋１ｍ＝３ｍ」に決定する。
【００４１】
次に、図４のステップＳ１０３では、制御部１１０は、検知可能領域内に存在する端末装置２０を利用して、接近者の検知を開始する（ステップＳ１０３）。ここで、検知可能領域とは、通信部１８０が、端末装置２０から送信される電波を受信可能な領域のことであり、例えば、１０ｍである。制御部１１０は、検知可能領域内に存在する端末装置２０から送信される電波を受信することで、当該端末装置２０を所持するユーザーを検知することができる。即ち、制御部１１０は、本発明の検知部として機能する。
【００４２】
次に、制御部１１０は、検知可能領域内に存在する端末装置２０から送信されたユーザーＩＤを取得する（ステップＳ１０４）。
【００４３】
次に、制御部１１０は、ステップＳ１０１で取得されたセキュリティジョブのオーナーのオーナーＩＤとステップＳ１０４で取得されたユーザーＩＤとに基づいて、接近者がセキュリティジョブのオーナーであるか否かを判定する（ステップＳ１０５）。即ち、制御部１１０は、本発明の第１判定部として機能する。具体的には、制御部１１０は、ステップＳ１０１で取得されたセキュリティジョブのオーナーのオーナーＩＤとステップＳ１０４で取得されたユーザーＩＤとが一致する場合に、セキュリティジョブのオーナーであると判定する。
制御部１１０は、セキュリティジョブのオーナーであると判定した場合（ステップＳ１０５：ＹＥＳ）、次のステップＳ１０６へと移行する。
一方、制御部１１０は、セキュリティジョブのオーナーでないと判定した場合（ステップＳ１０５：ＮＯ）、ステップＳ１０４へと移行して、再度検知可能領域内に存在する端末装置２０から送信されたユーザーＩＤを取得する。
【００４４】
次に、制御部１１０は、ステップＳ１０５でセキュリティジョブのオーナーであると判定されたユーザーが、ステップＳ１０２で設定された起動開始距離に到達したか否かを判定する（ステップＳ１０６）。具体的には、まず、制御部１１０は、セキュリティジョブのオーナーであると判定されたユーザーが所持する端末装置２０から送信された電波の強度を取得する。次いで、制御部１１０は、当該取得された電波強度と距離変換テーブル（図示省略）とを参照して、上記ユーザーの位置を算出することで、起動開始距離に到達したか否かを判定する。即ち、制御部１１０は、本発明の検知部及び第２判定部として機能する。
制御部１１０は、起動開始距離に到達したと判定した場合（ステップＳ１０６：ＹＥＳ）、次のステップＳ１０７へと移行する。
一方、制御部１１０は、起動開始距離に到達していないと判定した場合（ステップＳ１０６：ＮＯ）、ステップＳ１０４へと移行して、再度検知可能領域内に存在する端末装置２０から送信されたユーザーＩＤを取得する。
【００４５】
次に、制御部１１０は、ステップＳ１０１で取得されたセキュリティジョブを実行し、画像形成部１４０により当該セキュリティジョブに基づく画像を用紙に形成させる処理（画像形成処理）を開始する（ステップＳ１０７）。即ち、制御部１１０は、本発明の起動開始部として機能する。なお、制御部１１０は、節電モード中であった場合には、節電モードを解除して画像形成装置１０を起動した後、ステップＳ１０７の処理を行う。
【００４６】
以上のように、本実施形態に係る画像形成装置１０は、ジョブに基づく画像を用紙に形成する画像形成部１４０と、画像形成部１４０により画像が形成された用紙に所定の後処理を行う後処理部（紙折り装置ＦＮ１、断裁装置ＦＮ２、ステープル装置ＦＮ３及び製本装置ＦＮ４）と、セキュリティジョブのジョブ情報及び当該セキュリティジョブのオーナーであるユーザーを識別するためのユーザー識別情報を取得する取得部（制御部１１０）と、取得部により取得されたセキュリティジョブのジョブ情報のジョブ種を参照し、当該セキュリティジョブに後処理部により行われる後処理が設定されている場合に、当該設定されている後処理に基づいて起動開始距離を設定する設定部（制御部１１０）と、検知可能領域内に存在するユーザー及び当該ユーザーの位置を検知する検知部（制御部１１０）と、取得部により取得されたユーザー識別情報に基づいて、検知部により検知されたユーザーがセキュリティジョブのオーナーであるか否かを判定する第１判定部（制御部１１０）と、第１判定部によりセキュリティジョブのオーナーであると判定された場合に、検知部により検知されたユーザーの位置に基づいて、当該セキュリティジョブのオーナーが設定部により設定された起動開始距離に到達したか否かを判定する第２判定部（制御部１１０）と、第２判定部により起動開始距離に到達したと判定された場合に、セキュリティジョブを実行し、画像形成部１４０により当該セキュリティジョブに基づく画像を用紙に形成させる処理を開始する起動開始部（制御部１１０）と、を備える。
従って、本実施形態に係る画像形成装置１０によれば、セキュリティジョブのオーナーが装置前に到達するタイミングで１枚目の用紙を排紙させることができるので、排紙後の印刷物のセキュリティ性を確保しつつ、排紙時のユーザーの待機時間を軽減することができる。
【００４７】
また、本実施形態に係る画像形成装置１０によれば、設定部は、セキュリティジョブのジョブ情報のジョブ種を参照し、当該セキュリティジョブに後処理部により行われる後処理が設定されていない場合に、１枚目の用紙が排紙される時間に基づいて起動開始距離を設定する。
従って、本実施形態に係る画像形成装置１０によれば、セキュリティジョブに後処理が設定されているかいないかに係わらず、セキュリティジョブのオーナーが装置前に到達するタイミングで１枚目の用紙を排紙させることができるので、排紙後の印刷物のセキュリティ性を確保しつつ、排紙時のユーザーの待機時間を軽減することができる。
【００４８】
以上、本発明に係る実施形態に基づいて具体的に説明したが、本発明は上記実施形態に限定されるものではなく、その要旨を逸脱しない範囲で変更可能である。
【００４９】
（変形例１）
例えば、上記実施形態では、あるユーザーから１つのセキュリティジョブが画像形成装置本体１００に送信された場合を例示して説明しているが、これに限定されるものではない。例えば、あるユーザーから２つ以上のセキュリティジョブが画像形成装置本体１００に送信された場合であっても、本発明を適用することが可能である。変形例１では、あるユーザーから２つのセキュリティジョブが画像形成装置本体１００に送信された場合を例示して説明する。
【００５０】
図６は、あるユーザーから送信された２つのセキュリティジョブ（ジョブ１及びジョブ２）とそれぞれのジョブ種との関係を示すテーブルである。具体的には、ジョブ１には、「紙折り処理」、「ステープル処理」及び「製本処理」が設定され、ジョブ２には、「断裁処理」及び「製本処理」が設定されている。即ち、ジョブ１及びジョブ２には、いずれも製本処理が設定されている。
ここで、ジョブ１の製本処理及びジョブ２の製本処理を一度に行った場合、本来であればジョブ１に基づいて作成された本とジョブ２に基づいて作成された本とは個別に作成されなければならないにもかかわらず、１冊の本として作成されてしまうという不都合が生じる。従って、ジョブ１の製本処理とジョブ２の製本処理とを同時に行うことはできず、ジョブ１の処理後にジョブ２の処理が行われることとなる。
【００５１】
よって、制御部１１０は、ジョブ１の起動開始距離（個別起動開始距離）とジョブ２の起動開始距離（個別起動開始距離）とを合算して、起動開始距離を決定する。図６に示す例では、まず、制御部１１０は、ジョブ１のジョブ種が「紙折り」、「ステープル」及び「製本」であることから、ジョブ種距離変換テーブルＡ１（図３参照）を参照して、ジョブ１の起動開始距離を「２ｍ＋０．５ｍ＋３ｍ＝５．５ｍ」と算出する。次いで、制御部１１０は、ジョブ２のジョブ種が「断裁」及び「製本」であることから、ジョブ種距離変換テーブルＡ１を参照して、ジョブ２の起動開始距離を「１ｍ＋３ｍ＝４ｍ」と算出する。次いで、制御部１１０は、ジョブ１の起動開始距離とジョブ２の起動開始距離とを合算して、起動開始距離を「５．５ｍ＋４ｍ＝９．５ｍ」に決定する。
なお、同一のユーザーから、同時に処理不可能な共通の後処理（上記では製本処理）が設定された３つ以上のセキュリティジョブが送信された場合も、上記と同様に、セキュリティジョブ毎に算出された個別起動開始距離を全て合算することで、起動開始距離を決定する。
【００５２】
以上のように、変形例１に係る画像形成装置１０によれば、設定部は、取得部によりオーナーが同一である複数のセキュリティジョブのジョブ情報が取得された場合に、当該取得された複数のセキュリティジョブのジョブ情報のジョブ種の組み合わせに基づいて起動開始距離を設定する。
従って、変形例１に係る画像形成装置１０によれば、オーナーが同一である複数のセキュリティジョブが取得された場合であっても、その組み合わせに応じて最適な排紙タイミングとなるように起動開始距離を設定することができるので、セキュリティジョブの数に係わらず、セキュリティ性の確保と待機時間の軽減を実現することができる。
【００５３】
特に、変形例１に係る画像形成装置１０によれば、設定部は、複数のセキュリティジョブのジョブ情報のジョブ種を参照し、当該複数のセキュリティジョブに共通する後処理が設定されている場合であって、当該共通する後処理が同時に処理不可能である場合に、セキュリティジョブ毎に各々のジョブ種に基づいて個別起動開始距離を算出し、当該算出された全ての個別起動開始距離を合算して起動開始距離を設定する。
従って、変形例１に係る画像形成装置１０によれば、同一のユーザーから送信された複数のセキュリティジョブに同時に処理不可能な共通の後処理が設定されている場合には、セキュリティジョブ毎に個別に後処理を行うことを考慮して起動開始距離が設定されるので、複数のセキュリティジョブに共通する後処理が同時に処理不可能な場合であっても、セキュリティ性の確保と待機時間の軽減を実現することができる。
【００５４】
（変形例２）
変形例２では、あるユーザーから、変形例１とは異なる２つのセキュリティジョブが画像形成装置本体１００に送信された場合を例示して説明する。
【００５５】
図７は、あるユーザーから送信された２つのセキュリティジョブ（ジョブ３及びジョブ４）とそれぞれのジョブ種との関係を示すテーブルである。具体的には、ジョブ３には、「紙折り処理」、「断裁処理」及び「製本処理」が設定され、ジョブ４には、「断裁処理」及び「ステープル処理」が設定されている。即ち、ジョブ３及びジョブ４には、いずれも断裁処理が設定されている。
ここで、ジョブ３とジョブ４とで用紙のサイズが同じであれば、ジョブ３の断裁処理とジョブ４の断裁処理とを同時に行うことが可能である。変形例２では、ジョブ３とジョブ４とで用紙のサイズが同じであるものとする。
【００５６】
よって、制御部１１０は、ジョブ３の起動開始距離（個別起動開始距離）とジョブ４の起動開始距離（個別起動開始距離）とを合算する際、ジョブ３とジョブ４とで同時に処理を行う部分の重複を考慮して（即ち、同時に処理を行う部分を一つの処理と見做して）起動開始距離を決定する。図７に示す例では、まず、制御部１１０は、ジョブ３のジョブ種が「紙折り」、「断裁」及び「製本」であることから、ジョブ種距離変換テーブルＡ１（図３参照）を参照して、ジョブ３の起動開始距離を「２ｍ＋１ｍ＋３ｍ＝６ｍ」と算出する。次いで、制御部１１０は、ジョブ４のジョブ種が「断裁」及び「ステープル」であることから、ジョブ種距離変換テーブルＡ１を参照して、ジョブ４の起動開始距離を「１ｍ＋０．５ｍ＝１．５ｍ」と算出する。次いで、制御部１１０は、ジョブ３の起動開始距離とジョブ４の起動開始距離とを合算する際に、同時に処理可能な共通する後処理を一つの処理と見做して合算し、起動開始距離を「６．５ｍ」に決定する。この場合、ジョブ３の起動開始距離とジョブ４の起動開始距離とを合算した後に、重複分（断裁処理１回分）を減算して、起動開始距離を「６ｍ＋１．５ｍ−１ｍ＝６．５ｍ」に決定するようにしてもよい。また、ジョブ３の起動開始距離とジョブ４の起動開始距離のいずれか一方に、他方の断裁処理を除く起動開始距離を合算して起動開始距離を「６．５ｍ」に決定するようにしてもよい。
なお、同一のユーザーから、同時に処理可能な共通の後処理（上記では断裁処理）が設定された３つ以上のセキュリティジョブが送信された場合も、上記と同様に、セキュリティジョブ毎に算出された個別起動開始距離を全て合算する際に同時に処理可能な共通する後処理を一つの処理と見做して合算することで、起動開始距離を決定する。
【００５７】
以上のように、変形例２に係る画像形成装置１０によれば、設定部は、複数のセキュリティジョブのジョブ情報のジョブ種を参照し、当該複数のセキュリティジョブに共通する後処理が設定されている場合であって、当該共通する後処理が同時に処理可能である場合に、セキュリティジョブ毎に各々のジョブ種に基づいて起動開始距離を算出し、当該算出された全ての起動開始距離を合算する際に、同時に処理可能な共通する後処理を一つの処理と見做して合算し、起動開始距離を設定する。
従って、変形例２に係る画像形成装置１０によれば、同一のユーザーから送信された複数のセキュリティジョブに同時に処理可能な共通の後処理が設定されている場合には、当該後処理を同時に行うことを考慮して起動開始距離が設定されるので、セキュリティジョブに基づく後処理を効率化しつつ、セキュリティ性の確保と待機時間の軽減を実現することができる。
【００５８】
（変形例３）
また、上記実施形態では、セキュリティジョブのジョブ種に基づいて起動開始距離を決定するようにしているが、これに限定されるものではない。例えば、セキュリティジョブのジョブ種に加え、セキュリティジョブに設定された用紙の枚数（ジョブ枚数）に基づいて起動開始距離を決定するようにしてもよい。
以下、図８のフローチャートを参照して、変形例３の起動開始距離設定処理を説明する。この処理は、実施形態の起動開始距離設定処理（図５参照）の代わりに行われるものである。
【００５９】
まず、制御部１１０は、図８に示すように、図４のステップＳ１０１で取得されたセキュリティジョブに後処理加工が設定されているか否かを判定する（ステップＳ３０１）。
制御部１１０は、後処理加工が設定されていると判定した場合（ステップＳ３０１：ＹＥＳ）、次のステップＳ３０２へと移行する。
一方、制御部１１０は、後処理加工が設定されていないと判定した場合（ステップＳ３０１：ＮＯ）、１枚目の用紙（ファーストプリント）が排紙される時間に基づいて第１の起動開始距離を決定し（ステップＳ３０３）、ステップＳ３０４へと移行する。
【００６０】
次に、制御部１１０は、ステップＳ１０１で取得されたセキュリティジョブのジョブ種とジョブ種距離変換テーブルＡ１（図３参照）とを参照して第１の起動開始距離を決定する（ステップＳ３０２）。
【００６１】
ステップＳ３０２又はステップＳ３０３で第１の起動開始距離が決定された後、制御部１１０は、ステップＳ１０１で取得されたセキュリティジョブのジョブ枚数とジョブ枚数距離変換テーブルＡ２とを参照して第２の起動開始距離を決定する（ステップＳ３０４）。
【００６２】
ジョブ枚数距離変換テーブルＡ２は、ジョブに設定された用紙の枚数（ジョブ枚数）と画像形成装置１０の起動を開始する距離（起動開始距離）との関係を対応付けて管理するためのテーブルである。ジョブ枚数距離変換テーブルＡ２は、図９に示すように、ジョブに設定された用紙の枚数を示すジョブ枚数Ａ２１、画像形成装置１０の起動を開始する距離を示す起動開始距離Ａ２２のフィールドを有する。ジョブ枚数距離変換テーブルＡ２は、記憶部１７０に記憶される。
【００６３】
例えば、制御部１１０は、ステップＳ１０１で取得されたセキュリティジョブのジョブ枚数が「１枚」であった場合、起動開始距離を「０．５ｍ」に決定する。また、制御部１１０は、ステップＳ１０１で取得されたセキュリティジョブのジョブ枚数が「２枚」であった場合、起動開始距離を「１ｍ」に決定する。ここで、ジョブ枚数が多いほど起動開始距離を長く設定するのは、ジョブ枚数が多いほど制御部１１０のＣＰＵの演算に時間が掛かり、１枚目の用紙の画像形成に掛かる時間が長くなるため、その分１枚目の用紙の排紙タイミングが遅れるからである。
【００６４】
次に、制御部１１０は、ステップＳ３０２又はステップＳ３０３で決定された第１の起動開始距離とステップＳ３０４で決定された第２の起動開始距離とを合算して、起動開始距離を決定する（ステップＳ３０５）。
【００６５】
以上のように、変形例３に係る画像形成装置１０によれば、設定部は、セキュリティジョブのジョブ情報のジョブ種に加え、当該セキュリティジョブに設定された用紙の枚数に基づいて起動開始距離を設定する。
従って、変形例３に係る画像形成装置１０によれば、用紙の枚数に起因する１枚目の用紙の排紙タイミングのずれにも対応することができるので、より確実にセキュリティ性の確保と待機時間の軽減を実現することができる。
【００６６】
（変形例４）
また、起動開始距離を決定する他の例として、セキュリティジョブのジョブ種に加え、セキュリティジョブに設定された画像の種類（画像種）、より具体的には、画像種毎の、印刷用の画像データに変換する処理に掛かる時間（ＲＩＰ時間）に基づいて起動開始距離を決定するようにしてもよい。画像種は、例えば、テキストファイル（ＴＸＴ等）や画像ファイル（ＢＭＰ、ＧＩＦ、ＪＰＥＧ、ＰＮＧ等）などである。
以下、図１０のフローチャートを参照して、変形例４の起動開始距離設定処理を説明する。この処理は、実施形態の起動開始距離設定処理（図５参照）の代わりに行われるものである。
【００６７】
ステップＳ４０１〜ステップＳ４０３の処理は、変形例３の起動開始距離設定処理について示す図８のステップＳ３０１〜ステップＳ３０３の処理と同様であるので、説明を省略する。
【００６８】
ステップＳ４０２又はステップＳ４０３で第１の起動開始距離が決定された後、制御部１１０は、ステップＳ１０１で取得されたセキュリティジョブに設定された画像種のＲＩＰ時間と画像種距離変換テーブルＡ３とを参照して第２の起動開始距離を決定する（ステップＳ４０４）。
【００６９】
画像種距離変換テーブルＡ３は、ジョブに設定された画像種のＲＩＰ時間と画像形成装置１０の起動を開始する距離（起動開始距離）との関係を対応付けて管理するためのテーブルである。画像種距離変換テーブルＡ３は、図１１に示すように、ジョブに設定された画像種のＲＩＰ時間を示すＲＩＰ時間Ａ３１、画像形成装置１０の起動を開始する距離を示す起動開始距離Ａ３２のフィールドを有する。画像種距離変換テーブルＡ３は、記憶部１７０に記憶される。
【００７０】
例えば、制御部１１０は、ステップＳ１０１で取得されたセキュリティジョブに設定された画像種のＲＩＰ時間（ｔ秒）が「ｔ≦１」であった場合、起動開始距離を「１ｍ」に決定する。また、制御部１１０は、ステップＳ１０１で取得されたセキュリティジョブに設定された画像種のＲＩＰ時間が「１＜ｔ≦１０」であった場合、起動開始距離を「５ｍ」に決定する。
【００７１】
次に、制御部１１０は、ステップＳ４０２又はステップＳ４０３で決定された第１の起動開始距離とステップＳ４０４で決定された第２の起動開始距離とを合算して、起動開始距離を決定する（ステップＳ４０５）。
【００７２】
以上のように、変形例４に係る画像形成装置１０によれば、設定部は、セキュリティジョブのジョブ情報のジョブ種に加え、当該セキュリティジョブに設定された画像種に基づいて起動開始距離を設定する。
従って、変形例３に係る画像形成装置１０によれば、セキュリティジョブに設定された画像種のＲＩＰ時間に起因する１枚目の用紙の排紙タイミングのずれにも対応することができるので、より確実にセキュリティ性の確保と待機時間の軽減を実現することができる。
【００７３】
（その他の変形例）
また、上記実施形態では、後処理装置として、４台の後処理装置（紙折り装置ＦＮ１、断裁装置ＦＮ２、ステープル装置ＦＮ３及び製本装置ＦＮ４）を例示して説明しているが、これに限定されるものではない。即ち、後処理装置の台数には特に制限はなく、１台であってもよいし、２台以上であってもよい。
【００７４】
また、上記実施形態では、ユーザーが所持する端末装置２０が送信する電波を利用して、ユーザー及び当該ユーザーの位置（当該ユーザーまでの距離）の検知を行うようにしているが、これに限定されるものではない。例えば、端末装置２０を利用する代わりに、画像形成装置本体１００にカメラなどの撮像部を設けるようにし、当該撮像部により撮像された画像に基づいて、ユーザー及び当該ユーザーの位置を検知するようにしてもよい。この場合、撮像部により撮像された画像に基づいて、ユーザーの顔などを認識することにより、ユーザーの識別を行うことも可能である。
【００７５】
その他、画像形成システムを構成する各装置の細部構成及び各装置の細部動作に関しても、本発明の趣旨を逸脱することのない範囲で適宜変更可能である。
【符号の説明】
【００７６】
１  画像形成システム
１０  画像形成装置
１００  画像形成装置本体
１１０  制御部（取得部、設定部、検知部、第１判定部、第２判定部、起動開始部）
１２０  操作パネル
１２１  表示部
１２２  操作部
１３０  原稿読取ユニット
１４０  画像形成部
１５０  定着部
１６０  用紙搬送部
１７０  記憶部
１８０  通信部
ＦＮ１  紙折り装置（後処理部）
ＦＮ２  断裁装置（後処理部）
ＦＮ３  ステープル装置（後処理部）
ＦＮ４  製本装置（後処理部）
２０  端末装置
Ｔ１１〜Ｔ１３  給紙トレイ
Ｔ２１  排紙トレイ
【図１】
0006565583.tif 000002
【図２】
0006565583.tif 000003
【図３】
0006565583.tif 000004
【図４】
0006565583.tif 000005
【図５】
0006565583.tif 000006
【図６】
0006565583.tif 000007
【図７】
0006565583.tif 000008
【図８】
0006565583.tif 000009
【図９】
0006565583.tif 000010
【図１０】
0006565583.tif 000011
【図１１】
0006565583.tif 000012